(57)【要約】【課題】残像の発生をより效果的に防止することができる映像補正部、及びこれを含む表示装置及びその映像表示方法を提供する。【解決手段】Ｘ軸移動方向及びＸ軸移動量を決定する移動量決定部２１０と、Ｘ軸ブラックデータ量を決定するＸ軸シフト決定部２２０と、Ｘ軸移動量、Ｘ軸ブラックデータ量、Ｘ軸映像スケーリング比、及びＸ軸内部スケーリング比を利用して、相互対応する複数のサブ区域をそれぞれ含む第１Ｘ軸区域及び第２Ｘ軸区域を設定するＸ軸区域設定部２３０と、第１Ｘ軸区域の各サブ区域に位置した第１映像データのピクセルデータを利用して、第２Ｘ軸区域の各サブ区域に位置した第２映像データのピクセルデータを算出するＸ軸データ算出部２５０と、を含む。【選択図】図５
2016212377.tif 000002
【特許請求の範囲】
【請求項１】
表示装置の映像表示領域に表示された映像を移動させて、前記映像に含まれた第１領域及び第２領域をそれぞれ縮小及び拡大し、
前記映像は、前記映像表示領域よりも小さい大きさを有することを特徴とする表示装置の映像表示方法。
【請求項２】
前記映像表示領域の中で前記映像が表示された領域を除いた残りの領域は、ブラックを表示することを特徴とする請求項１に記載の表示装置の映像表示方法。
【請求項３】
前記映像は、第１領域と第２領域との間に位置する第３領域をさらに含み、
前記映像の第３領域は、前記第１領域が縮小される方向に沿って移動することを特徴とする請求項１に記載の表示装置の映像表示方法。
【請求項４】
前記映像の大きさは、移動前後で同一に維持されることを特徴とする請求項１に記載の表示装置の映像表示方法。
【請求項５】
前記映像の第２領域は、前記第１領域が縮小されるほど拡大されることを特徴とする請求項１に記載の表示装置の映像表示方法。
【請求項６】
Ｘ軸移動方向及びＸ軸移動量を決定する移動量決定部と、
Ｘ軸ブラックデータ量を決定するＸ軸シフト決定部と、
前記Ｘ軸移動量、前記Ｘ軸ブラックデータ量、Ｘ軸映像スケーリング比、及びＸ軸内部スケーリング比を利用して、相互対応する複数のサブ区域をそれぞれ含む第１Ｘ軸区域及び第２Ｘ軸区域を設定するＸ軸区域設定部と、
第１Ｘ軸区域の各サブ区域に位置した第１映像データのピクセルデータを利用して、第２Ｘ軸区域の各サブ区域に位置した第２映像データのピクセルデータを算出するＸ軸データ算出部と、
を含むことを特徴とする映像補正部。
【請求項７】
前記第２映像データは、少なくとも一列のブラックピクセルデータを端領域に含むことを特徴とする請求項６に記載の映像補正部。
【請求項８】
前記第１Ｘ軸区域は、第１サブ区域、第３サブ区域、及び、前記第１サブ区域と第３サブ区域との間に位置する第２サブ区域を含み、
前記第１Ｘ軸区域の第１サブ区域、第２サブ区域及び第３サブ区域は、それぞれ複数の微細区域を含むことを特徴とする請求項６に記載の映像補正部。
【請求項９】
前記Ｘ軸データ算出部は、前記第１Ｘ軸区域の微細区域に含まれた少なくとも一つのピクセルデータを利用して、前記第１Ｘ軸区域の微細区域に対応する第２映像データのピクセルデータを算出することを特徴とする請求項８に記載の映像補正部。
【請求項１０】
前記Ｘ軸データ算出部は、前記第１Ｘ軸区域の微細区域に含まれた少なくとも一つのピクセルデータが前記第１Ｘ軸区域の微細区域に含まれた割合を参照し、前記第１Ｘ軸区域の微細区域に対応する第２映像データのピクセルデータを算出することを特徴とする 請求項９に記載の映像補正部。
【請求項１１】
前記移動量決定部は、Ｙ軸移動方向及びＹ軸移動量をさらに決定することを特徴とする請求項６に記載の映像補正部。
【請求項１２】
Ｙ軸ブラックデータ量を決定するＹ軸シフト決定部と、
前記Ｙ軸移動量、前記Ｙ軸ブラックデータ量、Ｙ軸映像スケーリング比、及びＹ軸内部スケーリング比を利用して、相互対応する複数のサブ区域をそれぞれ含む第１Ｙ軸区域及び第２Ｙ軸区域を設定するＹ軸区域設定部と、
第１Ｙ軸区域の各サブ区域に位置した前記第２映像データのピクセルデータを利用して、第２Ｘ軸区域の各サブ区域に位置した第３映像データのピクセルデータを算出するＹ軸データ算出部と、
をさらに含むことを特徴とする請求項１１に記載の映像補正部。
【請求項１３】
前記第３映像データは、少なくとも一行のブラックピクセルデータを端領域に含むことを特徴とする請求項１２に記載の映像補正部。
【請求項１４】
前記第１Ｙ軸区域は、第１サブ区域、第３サブ区域、及び、前記第１サブ区域と第３サブ区域との間に位置する第２サブ区域を含み、
前記第１Ｙ軸区域の第１サブ区域、第２サブ区域、及び第３サブ区域は、それぞれ複数の微細区域を含むことを特徴とする請求項１２に記載の映像補正部 。
【請求項１５】
前記Ｙ軸データ算出部は、前記第１Ｙ軸区域の微細区域に含まれた少なくとも一つのピクセルデータを利用して、前記第１Ｙ軸区域の微細区域に対応する第３映像データのピクセルデータを算出することを特徴とする請求項１４に記載の映像補正部。
【請求項１６】
前記Ｙ軸データ算出部は、前記第１Ｙ軸区域の微細区域に含まれた少なくとも一つのピクセルデータが、前記第１Ｙ軸区域の微細区域に含まれた割合を参照し、前記第１Ｙ軸区域の微細区域に対応する第３映像データのピクセルデータを算出することを特徴とする請求項１５に記載の映像補正部。
【請求項１７】
表示パネルと、
第１映像データに対する補正を遂行する映像補正部と、
前記映像補正部によって補正された映像データを利用して、前記補正された映像データに対応する映像が前記表示パネルに表示されるように前記表示パネルを制御する表示駆動部と、を含み、
前記映像補正部は、
Ｘ軸移動方向及びＸ軸移動量を決定する移動量決定部と、
Ｘ軸ブラックデータ量を決定するＸ軸シフト決定部と、
前記Ｘ軸移動量、前記Ｘ軸ブラックデータ量、Ｘ軸映像スケーリング比、及びＸ軸内部スケーリング比を利用して、相互対応する複数のサブ区域をそれぞれ含む第１Ｘ軸区域及び第２Ｘ軸区域を設定するＸ軸区域設定部と、
第１Ｘ軸区域の各サブ区域に位置した前記第１映像データのピクセルデータを利用して、第２Ｘ軸区域の各サブ区域に位置した第２映像データのピクセルデータを算出するＸ軸データ算出部と、
を含むことを特徴とする表示装置。
【請求項１８】
前記第２映像データは、少なくとも一列のブラックピクセルデータを端領域に含むことを特徴とする請求項１７に記載の表示装置。
【請求項１９】
前記第１Ｘ軸区域は、第１サブ区域、第３サブ区域、及び、前記第１サブ区域と第３サブ区域との間に位置する第２サブ区域を含み、
前記第１Ｘ軸区域の第１サブ区域、第２サブ区域、及び第３サブ区域は、それぞれ複数の微細区域を含むことを特徴とする請求項１７に記載の表示装置。
【請求項２０】
前記Ｘ軸データ算出部は、前記第１Ｘ軸区域の微細区域に含まれた少なくとも一つのピクセルデータを利用して、前記第１Ｘ軸区域の微細区域に対応する第２映像データのピクセルデータを算出することを特徴とする請求項１９に記載の表示装置。
【請求項２１】
前記Ｘ軸データ算出部は、前記第１Ｘ軸区域の微細区域に含まれた少なくとも一つのピクセルデータが前記第１Ｘ軸区域の微細区域に含まれた割合を参照し、前記第１Ｘ軸区域の微細区域に対応する第２映像データのピクセルデータを算出することを特徴とする請求項２０に記載の表示装置。
【請求項２２】
前記移動量決定部は、Ｙ軸移動方向及びＹ軸移動量をさらに決定することを特徴とする請求項１７に記載の表示装置。
【請求項２３】
Ｙ軸ブラックデータ量を決定するＹ軸シフト決定部と、
前記Ｙ軸移動量、前記Ｙ軸ブラックデータ量、Ｙ軸映像スケーリング比、及びＹ軸内部スケーリング比を利用して、相互対応する複数のサブ区域をそれぞれ含む第１Ｙ軸区域及び第２Ｙ軸区域を設定するＹ軸区域設定部と、
第１Ｙ軸区域の各サブ区域に位置した前記第２映像データのピクセルデータを利用して、第２Ｘ軸区域の各サブ区域に位置した第３映像データのピクセルデータを算出するＹ軸データ算出部と、
をさらに含むことを特徴とする請求項２２に記載の表示装置。
【請求項２４】
前記第３映像データは、少なくとも一行のブラックピクセルデータを端領域に含むことを特徴とする請求項２３に記載の表示装置。
【請求項２５】
前記第１Ｙ軸区域は、第１サブ区域、第３サブ区域、及び、前記第１サブ区域と第３サブ区域との間に位置する第２サブ区域を含み、
前記第１Ｙ軸区域の第１サブ区域、第２サブ区域及び第３サブ区域は、それぞれ複数の微細区域を含むことを特徴とする請求項２３に記載の表示装置。
【請求項２６】
前記Ｙ軸データ算出部は、前記第１Ｙ軸区域の微細区域に含まれた少なくとも一つのピクセルデータを利用して、前記第１Ｙ軸区域の微細区域に対応する第３映像データのピクセルデータを算出することを特徴とする請求項２５に記載の表示装置。
【請求項２７】
前記Ｙ軸データ算出部は、前記第１Ｙ軸区域の微細区域に含まれた少なくとも一つのピクセルデータが、前記第１Ｙ軸区域の微細区域に含まれた割合を参照し、前記第１Ｙ軸区域の微細区域に対応する第３映像データのピクセルデータを算出することを特徴とする請求項２６に記載の表示装置。
【発明の詳細な説明】
【技術分野】
【０００１】
本発明は、映像補正部、及びこれを含む表示装置及びその映像表示方法に関する。
【背景技術】
【０００２】
近年、有機電界発光表示装置（Ｏｒｇａｎｉｃ  Ｌｉｇｈｔ  Ｅｍｉｔｔｉｎｇ  ＤｉｓｐｌＡｙ）、液晶表示装置（Ｌｉｑｕｉｄ  Ｃｒｙｓｔａｌ  ＤｉｓｐｌＡｙ  Ｄｅｖｉｃｅ）、プラズマ表示装置（Ｐｌａｓｍａ  ＤｉｓｐｌＡｙ  Ｄｅｖｉｃｅ）など、多様な種類の表示装置等が広く使用されている。
【０００３】
ただし、上述した表示装置等は、駆動時間が長くなるにつれて特定ピクセルが劣化されて、その性能が低下される場合がある。例えば、公共の場所、車両などで情報伝達のために使用されるデジタル情報表示装置（Ｄｉｇｉｔａｌ  Ｉｎｆｏｒｍａｔｉｏｎ  ＤｉｓｐｌＡｙ  Ｄｅｖｉｃｅ）は、特定映像または文字を長時間持続的に出力するため、特定ピクセルの劣化が加速されて残像が発生しえる。
【０００４】
上述した問題点を解決するために、表示パネル上に一定の周期ごとに映像を移動させて表示する技術いわゆる、ピクセルシフト（Ｐｉｘｅｌ  Ｓｈｉｆｔ）技術が使用されている。
【０００５】
表示パネル上に一定の周期ごとに映像を移動させて表示すると、特定ピクセルに同一のデータが長時間出力されることを防止して、特定ピクセルが劣化されることを改善することができる。
【発明の概要】
【発明が解決しようとする課題】
【０００６】
したがって、本発明は、上述した問題点を解決するために案出されたもので、その目的は、残像の発生をより效果的に防止することができる映像補正部、及びこれを含む表示装置及びその映像表示方法を提供することである。
【課題を解決するための手段】
【０００７】
上記のような目的を果たすために本発明の実施例による表示装置の映像補正方法は、表示装置の映像表示領域に表示された映像を移動させて、前記映像に含まれた第１領域及び第２領域をそれぞれ縮小及び拡大し、前記映像は、前記映像表示領域よりも小さい大きさを有することを特徴とする。
【０００８】
また、前記映像表示領域の中で前記映像が表示された領域を除いた残りの領域は、ブラックを表示することを特徴とする。
【０００９】
また、前記映像は、第１領域と第２領域との間に位置する第３領域をさらに含み、前記映像の第３領域は、前記第１領域が縮小される方向に沿って移動することを特徴とする。
【００１０】
また、前記映像の大きさは、移動前後で同一に維持されることを特徴とする。
【００１１】
また、前記映像の第２領域は、前記第１領域が縮小されるほど拡大されることを特徴とする。
【００１２】
さらに、本発明の実施例による映像補正部は、Ｘ軸移動方向及びＸ軸移動量を決定する移動量決定部と、Ｘ軸ブラックデータ量を決定するＸ軸シフト決定部と、前記Ｘ軸移動量、前記Ｘ軸ブラックデータ量、Ｘ軸映像スケーリング比、及びＸ軸内部スケーリング比を利用して、相互対応する複数のサブ区域をそれぞれ含む第１Ｘ軸区域及び第２Ｘ軸区域を設定するＸ軸区域設定部と、第１Ｘ軸区域の各サブ区域に位置した前記第１映像データのピクセルデータを利用して、第２Ｘ軸区域の各サブ区域に位置した前記第２映像データのピクセルデータを算出するＸ軸データ算出部と、を含む。
【００１３】
また、前記第２映像データは、少なくとも一列のブラックピクセルデータを端領域に含むことを特徴とする。
【００１４】
また、前記第１Ｘ軸区域は、第１サブ区域、第３サブ区域、及び、前記第１サブ区域と第３サブ区域との間に位置する第２サブ区域を含み、前記第１Ｘ軸区域の第１サブ区域、第２サブ区域及び第３サブ区域は、それぞれ複数の微細区域を含むことを特徴とする。
【００１５】
また、前記Ｘ軸データ算出部は、前記第１Ｘ軸区域の微細区域に含まれた少なくとも一つのピクセルデータを利用して、前記第１Ｘ軸区域の微細区域に対応する第２映像データのピクセルデータを算出することを特徴とする。
【００１６】
また、前記Ｘ軸データ算出部は、前記第１Ｘ軸区域の微細区域に含まれた少なくとも一つのピクセルデータが前記第１Ｘ軸区域の微細区域に含まれた割合を参照し、前記第１Ｘ軸区域の微細区域に対応する第２映像データのピクセルデータを算出することを特徴とする。
【００１７】
また、前記移動量決定部は、Ｙ軸移動方向及びＹ軸移動量をさらに決定することを特徴とする。
【００１８】
また、Ｙ軸ブラックデータ量を決定するＹ軸シフト決定部と、前記Ｙ軸移動量、前記Ｙ軸ブラックデータ量、Ｙ軸映像スケーリング比、及びＹ軸内部スケーリング比を利用して、相互対応する複数のサブ区域をそれぞれ含む第１Ｙ軸区域及び第２Ｙ軸区域を設定するＹ軸区域設定部と、第１Ｙ軸区域の各サブ区域に位置した前記第２映像データのピクセルデータを利用して、第２Ｘ軸区域の各サブ区域に位置した前記第３映像データのピクセルデータを算出するＹ軸データ算出部と、をさらに含むことを特徴とする。
【００１９】
また、前記第３映像データは、少なくとも一行のブラックピクセルデータを端領域に含むことを特徴とする。
【００２０】
また、前記第１Ｙ軸区域は、第１サブ区域、第３サブ区域、及び、前記第１サブ区域と第３サブ区域との間に位置する第２サブ区域を含み、前記第１Ｙ軸区域の第１サブ区域、第２サブ区域及び第３サブ区域は、それぞれ複数の微細区域を含むことを特徴とする。
【００２１】
また、前記Ｙ軸データ算出部は、前記第１Ｙ軸区域の微細区域に含まれた少なくとも一つのピクセルデータを利用して、前記第１Ｙ軸区域の微細区域に対応する第３映像データのピクセルデータを算出することを特徴とする。
【００２２】
また、前記Ｙ軸データ算出部は、前記第１Ｙ軸区域の微細区域に含まれた少なくとも一つのピクセルデータが、前記第１Ｙ軸区域の微細区域に含まれた割合を参照し、前記第１Ｙ軸区域の微細区域に対応する第３映像データのピクセルデータを算出することを特徴とする。
【００２３】
さらに、本発明の実施例による表示装置は、表示パネル、第１映像データに対する補正を遂行する映像補正部と、前記映像補正部によって補正された映像データを利用して、前記補正された映像データに対応する映像が前記表示パネルに表示されるように前記表示パネルを制御する表示駆動部と、を含み、前記映像補正部は、Ｘ軸移動方向及びＸ軸移動量を決定する移動量決定部と、Ｘ軸ブラックデータ量を決定するＸ軸シフト決定部と、前記Ｘ軸移動量、前記Ｘ軸ブラックデータ量、Ｘ軸映像スケーリング比、及びＸ軸内部スケーリング比を利用して、相互対応する複数のサブ区域をそれぞれ含む第１Ｘ軸区域及び第２Ｘ軸区域を設定するＸ軸区域設定部と、第１Ｘ軸区域の各サブ区域に位置した前記第１映像データのピクセルデータを利用して、第２Ｘ軸区域の各サブ区域に位置した前記第２映像データのピクセルデータを算出するＸ軸データ算出部と、を含む。
【００２４】
また、前記第２映像データは、少なくとも一列のブラックピクセルデータを端領域に含むことを特徴とする。
【００２５】
また、前記第１Ｘ軸区域は、第１サブ区域、第３サブ区域、及び、前記第１サブ区域と第３サブ区域との間に位置する第２サブ区域を含み、前記第１Ｘ軸区域の第１サブ区域、第２サブ区域及び第３サブ区域は、それぞれ複数の微細区域を含むことを特徴とする。
【００２６】
また、前記Ｘ軸データ算出部は、前記第１Ｘ軸区域の微細区域に含まれた少なくとも一つのピクセルデータを利用して、前記第１Ｘ軸区域の微細区域に対応する第２映像データのピクセルデータを算出することを特徴とする。
【００２７】
また、前記Ｘ軸データ算出部は、前記第１Ｘ軸区域の微細区域に含まれた少なくとも一つのピクセルデータが前記第１Ｘ軸区域の微細区域に含まれた割合を参照し、前記第１Ｘ軸区域の微細区域に対応する第２映像データのピクセルデータを算出することを特徴とする。
【００２８】
また、前記移動量決定部は、Ｙ軸移動方向及びＹ軸移動量をさらに決定することを特徴とする。
【００２９】
また、Ｙ軸ブラックデータ量を決定するＹ軸シフト決定部と、前記Ｙ軸移動量、前記Ｙ軸ブラックデータ量、Ｙ軸映像スケーリング比、及びＹ軸内部スケーリング比を利用して、相互対応する複数のサブ区域をそれぞれ含む第１Ｙ軸区域及び第２Ｙ軸区域を設定するＹ軸区域設定部と、第１Ｙ軸区域の各サブ区域に位置した前記第２映像データのピクセルデータを利用して、第２Ｘ軸区域の各サブ区域に位置した前記第３映像データのピクセルデータを算出するＹ軸データ算出部と、をさらに含むことを特徴とする。
【００３０】
また、前記第３映像データは、少なくとも一行のブラックピクセルデータを端領域に含むことを特徴とする。
【００３１】
また、前記第１Ｙ軸区域は、第１サブ区域、第３サブ区域、及び、前記第１サブ区域と第３サブ区域との間に位置する第２サブ区域を含み、前記第１Ｙ軸区域の第１サブ区域、第２サブ区域及び第３サブ区域は、それぞれ複数の微細区域を含む。
【００３２】
また、前記Ｙ軸データ算出部は、前記第１Ｙ軸区域の微細区域に含まれた少なくとも一つのピクセルデータを利用して、前記第１Ｙ軸区域の微細区域に対応する第３映像データのピクセルデータを算出することを特徴とする。
【００３３】
また、前記Ｙ軸データ算出部は、前記第１Ｙ軸区域の微細区域に含まれた少なくとも一つのピクセルデータが、前記第１Ｙ軸区域の微細区域に含まれた割合を参照し、前記第１Ｙ軸区域の微細区域に対応する第３映像データのピクセルデータを算出することを特徴とする。
【発明の効果】
【００３４】
以上、調べてみたように本発明の実施例によれば、残像発生をより效果的に防止することができる映像補正部、及びこれを含む表示装置及びその映像表示方法を提供することができるという効果を奏する。
【図面の簡単な説明】
【００３５】
【図１】本発明の実施例による表示装置の映像表示領域を示した図面である。
【図２Ａ】本発明の実施例による表示装置の映像表示方法について説明するための図面である。
【図２Ｂ】本発明の実施例による表示装置の映像表示方法について説明するための図面である。
【図３Ａ】本発明の実施例による表示装置の映像表示方法について説明するための図面である。
【図３Ｂ】本発明の実施例による表示装置の映像表示方法について説明するための図面である。
【図４Ａ】本発明の実施例による表示装置の映像表示方法について説明するための図面である。
【図４Ｂ】本発明の実施例による表示装置の映像表示方法について説明するための図面である。
【図５】本発明の実施例による表示装置を示した図面である。
【図６】本発明の実施例による表示パネル、表示駆動部及び映像補正部を示した図面である。
【図７】本発明の実施例による映像補正部を示した図面である。
【図８】本発明の実施例による第１ルックアップテーブルを示した図面である。
【図９】本発明の実施例による第２ルックアップテーブルを示した図面である。
【図１０】本発明の実施例によるＸ軸区域設定部の動作について説明するための図面である。
【図１１】本発明の実施例によるＸ軸データ算出部の動作について説明するための図面である。
【図１２】図１１の一部を拡大して示した図面である。
【図１３】本発明の実施例による第１映像データを示した図面である。
【図１４】本発明の実施例による第２映像データを示した図面である。
【図１５】本発明の実施例によるＹ軸区域設定部の動作について説明するための図面である。
【図１６】本発明の実施例によるＹ軸データ算出部の動作について説明するための図面である。
【図１７】図１６の一部を拡大して示した図面である。
【図１８】本発明の実施例による第３映像データを示した図面である。
【発明を実施するための形態】
【００３６】
その他の実施例の具体的な事項は詳細な説明及び図面に含まれている。本発明の利点及び特徴、そして、これらを果たす方法は、添付される図面と共に詳細に後述されている実施例を参照すれば明確になる。
【００３７】
しかし、本発明は以下で開示される実施例に限定されるものではなく、互いに異なる多様な形態で具現されることができ、以下の説明である部分が他の部分と連結されているとした時、これは直接的に連結されている場合のみならず、その中間に他の素子を間に置いて電気的に連結されている場合をも含む。
【００３８】
さらに、図面で本発明と関係ない部分は、本発明の説明を明確にさせるために略しており、明細書全体を通じて類似した部分に対しては同一の図面符号を付けた。
【００３９】
以下、本発明の実施例に係わる図面を参照して本発明の実施例による映像補正部、及びこれを含む表示装置及びその映像表示方法について説明する。
【００４０】
図１は、本発明の実施例による表示装置の映像表示領域を示した図面である。図１を参照すれば、本発明の実施例による表示装置１０は、映像を表示することができる映像表示領域ＤＡを含むことができる。
【００４１】
表示装置１０は、ユーザーに所定の映像を提供する装置であり、映像表示領域ＤＡに映像を表示することができる。これにより、表示装置１０のユーザーは、映像表示領域ＤＡに表示された映像を視認することができる。
【００４２】
例えば、表示装置１０は、テレビ、モニター、モバイル器機、ナビゲーション装置 などで具現されることができる。
【００４３】
図２Ａないし図４Ｂは、本発明の実施例による表示装置の映像表示方法について説明するための図面である。
【００４４】
前記図２Ａないし図４Ｂを参照して本発明の実施例による表示装置の映像表示方法について説明する。特に、図２Ａ及び図２Ｂは、映像がＸ軸方向に沿って移動する様子を示した。
【００４５】
図２Ａを参照すれば、第ｎ期間（ｎは、１以上の自然数）の間映像表示領域ＤＡに所定の映像Ｉｍを表示することができる。この際、映像Ｉｍの大きさは、映像表示領域ＤＡよりも小さく設定されることができる。
【００４６】
また、映像表示領域ＤＡの中で映像Ｉｍが表示された領域を除いた残りの領域Ａｒは、ブラックを表示することができる。
【００４７】
例えば、映像Ｉｍが表示されていない領域Ａｒは、非発光状態を維持するため、ユーザーによってブラックとして視認されることができる。
【００４８】
映像Ｉｍは、複数の領域を含むことができる。例えば、映像Ｉｍは第１領域Ａ１、第２領域Ａ２及び第３領域Ａ３を含むことができる。
【００４９】
第３領域Ａ３は、第１領域Ａ１と第２領域Ａ２との間に位置する領域でありえる。
【００５０】
また、第１領域Ａ１は、第３領域Ａ３の左側に位置した領域で、第２領域Ａ２は第３領域Ａ３の右側に位置する領域でありえる。
【００５１】
さらに、本発明の実施例による表示装置の映像表示方法では、映像Ｉｍが移動されて表示されることができ、かつ映像Ｉｍに含まれた一部の領域が縮小及び拡大されることができる。
【００５２】
例えば、第ｎ期間の間映像Ｉｍは、映像表示領域ＤＡの特定の位置に表示されて（図２Ａ参照）、第ｎ＋ｍ期間（ｍは１以上の自然数）の間映像Ｉｍは特定の方向（例えば、Ｘ軸方向）に移動された状態で表示されることができる。
【００５３】
すなわち、図２Ａに示されたように、映像Ｉｍは−Ｘ方向（左側）に特定の距離ＤＳ１ほど移動されることができる。
【００５４】
また、別に図示しなかったが、映像Ｉｍは、＋Ｘ方向（右側）にも移動されることができる。
【００５５】
また、第ｎ期間の間映像Ｉｍの第１領域Ａ１及び第２領域Ａ２は、所定の面積を持って（図２Ａ参照）、第ｎ＋ｍ期間の間第１領域Ａ１の面積は縮小され、第２領域Ａ２の面積は拡大されることができる（図２Ｂ参照）。
【００５６】
すなわち、図２Ｂに示されたように、第１領域Ａ１の面積はＥｘ１ほど縮小されることができ、第２領域Ａ２の面積はＥｘ２ほど拡大されることができる。この際、第２領域Ａ２は、第１領域Ａ１が縮小されるほど拡大されることができる。例えば、第１領域Ａ１の面積変化量Ｅｘ１は第２領域Ａ２の面積変化量Ｅｘ２と同一でありえる。
【００５７】
これによって、本発明の実施例によって表示される映像Ｉｍは、その大きさを維持したまま特定の方向に移動されることができる。言い換えれば、本発明の実施例によって表示される映像Ｉｍの大きさは移動前後が同じように維持されることができる。
【００５８】
第１領域Ａ１と第２領域Ａ２との間に位置する第３領域Ａ３は、第１領域Ａ１が縮小される方向に沿って移動することができる。
【００５９】
すなわち、図２Ｂに示されたように第３領域Ａ３は、第１領域Ａ１が縮小される方向（左側）に沿って移動することができる。この際、第３領域Ａ３は縮小されたり、拡大されたりすることなく、その大きさをそのまま維持することができる。
【００６０】
図２Ａ及び図２Ｂでは、映像Ｉｍの左側に位置した領域を第１領域Ａ１と指称し、映像Ｉｍの右側に位置した領域を第２領域Ａ２と指称したが、第１領域Ａ１と第２領域Ａ２とは互いに逆になることができる。
【００６１】
例えば、映像Ｉｍの右側に位置した領域が第１領域Ａ１に設定されて、映像Ｉｍの左側に位置した領域が第２領域Ａ２に設定されることができる。
【００６２】
上述したように、映像Ｉｍ自体を移動させることで、残像の発生を抑制するだけではなく、それと同時に映像Ｉｍの内部領域Ａ１、Ａ２に対する縮小及び拡大を並行することで、残像の発生をより效率的に抑制することができる。
【００６３】
すなわち、映像表示領域ＤＡの中央領域が端領域よりも頻繁に映像を表示するので、映像Ｉｍの内部領域Ａ１、Ａ２、Ａ３に対する縮小、拡大、及び移動を遂行することで、映像表示領域ＤＡの中央領域に対する残像の発生を防止することができる。特に、図３Ａ及び図３Ｂは、映像がＹ軸方向に沿って移動する様子を示した。
【００６４】
上述した図２Ａ及び図２Ｂに係わる実施例と重複される内容は略する。図３Ａを参考すれば、第ｎ期間の間映像表示領域ＤＡに所定の映像Ｉｍ'を表示することができる。この際、映像Ｉｍ'は、複数の領域を含むことができる。例えば、映像Ｉｍ'は、第１領域Ａ１、第２領域Ａ２、及び第３領域Ａ３を含むことができる。
【００６５】
第３領域Ａ３は、第１領域Ａ１と第２領域Ａ２との間に位置する領域でありえる。また、第１領域Ａ１は、第３領域Ａ３の上側に位置した領域で、第２領域Ａ２は第３領域Ａ３の下側に位置する領域でありえる。
【００６６】
例えば、第ｎ期間の間映像Ｉｍ'は、映像表示領域ＤＡの特定の位置に表示されて（図３Ａ参照）、第ｎ＋ｍ期間の間映像Ｉｍ'は、特定の方向（Ｙ軸方向）に移動された状態で表示されることができる（図３Ｂ参照）。すなわち、図３Ａに示されたように、映像Ｉｍ'は、＋Ｙ方向（上側）に特定の距離Ｄｓ２ほど移動されることができる。
【００６７】
また、別途で示していないが、映像Ｉｍ'は−Ｙ方向（下側）にも移動されることができる。
【００６８】
また、第ｎ期間の間映像Ｉｍ'の第１領域Ａ１及び第２領域Ａ２は、所定の面積を持って（図３Ａ参照）、第ｎ＋ｍ期間の間第１領域Ａ１の面積は縮小され、第２領域Ａ２の面積は拡大されることができる（図３Ｂ参照）。
【００６９】
すなわち、図３Ｂに示されたように、第１領域Ａ１の面積はＥｘ３ほど縮小されることができ、第２領域Ａ２の面積はＥｘ４ほど拡大されることができる。この際、第２領域Ａ２は、第１領域Ａ１が縮小されるほど拡大されることができる。例えば、第１領域Ａ１の面積変化量Ｅｘ３は、第２領域Ａ２の面積変化量Ｅｘ４と同一でありえる。
【００７０】
第１領域Ａ１と第２領域Ａ２との間に位置する第３領域Ａ３は、第１領域Ａ１が縮小される方向に沿って移動することができる。すなわち、図３Ｂに示されたように、第３領域Ａ３は第１領域Ａ１が縮小される方向（上側）に沿って移動することができる。この際、第３領域Ａ３は、縮小されたり拡大されたりすることなく、その大きさをそのまま維持することができる。
【００７１】
図３Ａ及び図３Ｂでは、映像Ｉｍ'の上側に位置した領域を第１領域Ａ１と指称し、映像Ｉｍ'の下側に位置した領域を第２領域Ａ２と指称したが、第１領域Ａ１と第２領域Ａ２とは、互いに逆になることができる。
【００７２】
例えば、映像Ｉｍ'の下側に位置した領域が第１領域Ａ１に設定され、映像Ｉｍ'の上側に位置した領域が第２領域Ａ２に設定されることができる。特に、図４Ａ及び図４Ｂは、映像が対角線方向に沿って移動する様子を示した。
【００７３】
上述した図２Ａ及び図２Ｂに係わる実施例と重複される内容は略する。図４Ａを参照すれば、第ｎ期間の間映像表示領域ＤＡに所定の映像Ｉｍ''を表示することができる。この際、映像Ｉｍ''は、複数の領域を含むことができる。例えば、映像Ｉｍ''は、第１領域Ａ１、第２領域Ａ２、及び第３領域Ａ３を含むことができる。
【００７４】
第３領域Ａ３は、第１領域Ａ１と第２領域Ａ２との間に位置する領域でありえる。また、第１領域Ａ１は、第３領域Ａ３の左上側に位置した領域で、第２領域Ａ２は、第３領域Ａ３の右下側に位置する領域でありえる。
【００７５】
例えば、第ｎ期間の間映像Ｉｍ''は、映像表示領域ＤＡの特定の位置に表示されて（図４Ａ参照）、第ｎ＋ｍ期間の間映像Ｉｍ''は、特定の方向（対角線方向）に移動された状態で表示されることができる（図４Ｂ参照）。すなわち、図４Ａに示されたように、映像Ｉｍ''は、対角線方向（左上側）に特定の距離Ｄｓ３ほど移動されることができる。
【００７６】
また、別途で示していないが、映像Ｉｍ''は、他の対角線方向にも移動されることができる。
【００７７】
また、第ｎ期間の間映像Ｉｍ''の第１領域Ａ１及び第２領域Ａ２は、所定の面積を持って（図４Ａ参照）、第ｎ＋ｍ期間の間第１領域Ａ１の面積は縮小され、第２領域Ａ２の面積は拡大されることができる（図４Ｂ参照）。
【００７８】
すなわち、図４Ｂに示されたように、第１領域Ａ１の面積は、Ｅｘ５ほど縮小されることができ、第２領域Ａ２の面積はＥｘ６ほど拡大されることができる。この際、第２領域Ａ２は、第１領域Ａ１が縮小されるほど拡大されることができる。例えば、第１領域Ａ１の面積変化量Ｅｘ５は第２領域Ａ２の面積変化量Ｅｘ６と同一でありえる。
【００７９】
第１領域Ａ１と第２領域Ａ２との間に位置する第３領域Ａ３は、第１領域Ａ１が縮小される方向に沿って移動することができる。
【００８０】
すなわち、図４Ｂに示されたように第３領域Ａ３は、第１領域Ａ１が縮小される方向（左上側対角線方向）に沿って移動することができる。この際、第３領域Ａ３は、縮小されたり拡大されたりすることなく、その大きさをそのまま維持することができる。
【００８１】
図４Ａ及び図４Ｂでは、映像Ｉｍ''の左上側に位置した領域を第１領域Ａ１と指称し、映像Ｉｍ''の右下側に位置した領域を第２領域Ａ２と指称したが、第１領域Ａ１及び第２領域Ａ２は、多様な位置に変更されることができる。
【００８２】
図５は、本発明の実施例による表示装置を示した図面である。図５を参照すれば、本発明の実施例による表示装置１０は、ホスト１００、表示パネル１１０、表示駆動部１２０及び映像補正部１５０を含むことができる。
【００８３】
ホスト１００は、映像補正部１５０に第１映像データＤｉ１を供給することができる。また、別途で示していないが、ホスト１００は、表示駆動部１２０に第１映像データＤｉ１を供給することができる。
【００８４】
ホスト１００は、制御信号Ｃｓを表示駆動部１２０に供給することができる。
【００８５】
前記制御信号Ｃｓは、垂直同期信号（Ｖｅｒｔｉｃａｌ  Ｓｙｎｃｈｒｏｎｉｚａｔｉｏｎ  Ｓｉｇｎａｌ）、水平同期信号（Ｈｏｒｉｚｏｎｔａｌ  Ｓｙｎｃｈｒｏｎｉｚａｔｉｏｎ  Ｓｉｇｎａｌ）、データイネーブル信号（Ｄａｔａ  Ｅｎａｂｌｅ  Ｓｉｇｎａｌ）、クロック信号（Ｃｌｏｃｋ  Ｓｉｇｎａｌ）などを含むことができる。
【００８６】
また、必要な場合、ホスト１００は制御信号Ｃｓを映像補正部１５０に供給することができる。一例として、ホスト１００は、プロセッサ、グラフィック処理装置、メモリーなどを含むことができる。
【００８７】
表示パネル１１０は、複数のピクセルを含むことで、所定の映像を表示することができる。例えば、表示パネル１１０は、表示駆動部１２０の制御によって映像を表示することができる。
【００８８】
また、表示パネル１１０は、有機電界発光表示パネル、液晶表示パネル、プラズマ表示パネルなどで具現されることができるが、これに限定されるものではない。後ほど、図６を参照して表示パネル１１０についてより詳しく説明する。
【００８９】
表示駆動部１２０は、駆動信号Ｄｄを表示パネル１１０に供給することで、前記表示パネル１１０の映像表示動作を制御することができる。
【００９０】
例えば、表示駆動部１２０は、外部から供給される映像データＤｉ１、Ｄｉ２、Ｄｉ３と制御信号Ｃｓを利用して、駆動信号Ｄｄを生成することができる。
【００９１】
例えば、表示駆動部１２０は、映像補正部１５０から補正された映像データＤｉ２、Ｄｉ３の供給を受けて、前記補正された映像データＤｉ２、Ｄｉ３を利用して上述した図２Ａないし図４Ｂに示された映像を表示パネル１１０に表示することができる。
【００９２】
また、映像補正部１５０の動作が停止された場合、表示駆動部１２０は映像補正部１５０の第２映像データＤｉ２及び第３映像データＤｉ３の代わりにホスト１００から第１映像データＤｉ１の供給を受けて、前記第１映像データＤｉ１を利用してピクセルシフト機能が適用されていない映像を表示することも可能である。後ほど、図６を参照して表示駆動部１２０についてより詳しく説明する。
【００９３】
映像補正部１５０は、外部から供給される第１映像データＤｉ１に対する補正を遂行することができる。
【００９４】
例えば、映像補正部１５０は、第１映像データＤｉ１を利用して第２映像データＤｉ２及び第３映像データＤｉ３を生成することができる。
【００９５】
また、映像補正部１５０は、第２映像データＤｉ２及び第３映像データＤｉ３を表示駆動部１２０に供給することができる。この際、映像補正部１５０はホスト１００から第１映像データＤｉ１の供給を受けることができる。
【００９６】
映像補正部１５０は、図５に示されたように、表示駆動部１２０と別個で分離して位置することができる。ただし、他の実施例においては映像補正部１５０が表示駆動部１２０またはホスト１００に統合されることができる。
【００９７】
図６は、本発明の実施例による表示パネル、表示駆動部、及び映像補正部を示した図面である。
【００９８】
図６を参照すれば、本発明の実施例による表示パネル１１０は、複数のデータ線Ｄ１〜Ｄｍ、複数の走査線Ｓ１〜Ｓｎ及び、複数のピクセルＰを含むことができる。ピクセルＰは、データ線Ｄ１〜Ｄｍ及び走査線Ｓ１〜Ｓｎと連結されることができる。例えば、ピクセルＰは、データ線Ｄ１〜Ｄｍと走査線Ｓ１〜Ｓｎとの交差領域にマトリックス形態で配置されることができる。
【００９９】
また、各ピクセルＰは、データ線Ｄ１〜Ｄｍ及び走査線Ｓ１〜Ｓｎを介してデータ信号及び走査信号の供給を受けることができる。
【０１００】
表示駆動部１２０は、走査駆動部１２１、データ駆動部１２２、及びタイミング制御部１２５を含むことができる。また、表示駆動部１２０の駆動信号Ｄｄは、走査信号及びデータ信号を含むことができる。
【０１０１】
走査駆動部１２１は、走査駆動部制御信号ＳＣＳに応答して走査線Ｓ１〜Ｓｎに走査信号を供給することができる。例えば、走査駆動部１２１は、走査線Ｓ１〜Ｓｎに走査信号を順次に供給することができる。
【０１０２】
走査駆動部１２１は、別途の構成要素（例えば、回路基板）を介して表示パネル１１０に位置した走査線Ｓ１〜Ｓｎと電気的に接続されることができる。
【０１０３】
また、他の実施例において、走査駆動部１２１は、表示パネル１１０に直接実装されることができる。
【０１０４】
データ駆動部１２２は、タイミング制御部１２５からデータ駆動部制御信号ＤＣＳ及び映像データＤｉ２、Ｄｉ３の入力を受けて、データ信号を生成することができる。
【０１０５】
また、映像補正部１５０の動作が停止された場合、データ駆動部１２２は第２映像データＤｉ２及び第３映像データＤｉ３の代わりに第１映像データＤｉ１をタイミング制御部１２５から入力を受けて、前記第１映像データＤｉ１を利用してデータ信号を生成することも可能である。
【０１０６】
データ駆動部１２２は、生成されたデータ信号をデータ線Ｄ１〜Ｄｍに供給することができる。
【０１０７】
データ駆動部１２２は、別途の構成要素（例えば、回路基板）を介して表示パネル１１０に位置したデータ線Ｄ１〜Ｄｍと電気的に接続されることができる。
【０１０８】
また、他の実施例において、データ駆動部１２２は表示パネル１１０に直接実装されることができる。
【０１０９】
データ線Ｄ１〜Ｄｍを介してデータ信号の供給を受けたピクセルＰは、前記データ信号に対応する輝度で発光することができる。
【０１１０】
データ駆動部１２２は、図６に示されたように、タイミング制御部１２５から第２映像データＤｉ２及び第３映像データＤｉ３の入力を受けることができる。
【０１１１】
また、他の実施例において、データ駆動部１２２は、映像補正部１５０から第２映像データＤｉ２及び第３映像データＤｉ３の入力を受けることができる。そのため、データ駆動部１２２は映像補正部１５０によって補正された第２映像データＤｉ２または第３映像データＤｉ３をピクセルＰに供給することができ、これによって表示パネル１１０は、第２映像データＤｉ２または第３映像データＤｉ３に対応する映像（例えば、図２Ａないし図４Ｂに図示された映像）を表示することができる。
【０１１２】
データ駆動部１２２は、図６に示されたように、走査駆動部１２１と別個で分離して位置することができる。ただし、他の実施例においてはデータ駆動部１２２が走査駆動部１２１に統合されることができる。
【０１１３】
タイミング制御部１２５は、ホスト１００から制御信号Ｃｓの入力を受けることができる。
【０１１４】
タイミング制御部１２５は、制御信号Ｃｓに基づいて走査駆動部１２１及びデータ駆動部１２２を制御するための制御信号を生成することができる。
【０１１５】
例えば、前記制御信号は、走査駆動部１２１を制御するための走査駆動部制御信号ＳＣＳ、及びデータ駆動部１２２を制御するためのデータ駆動部制御信号ＤＣＳを含むことができる。したがって、タイミング制御部１２５は走査駆動部制御信号ＳＣＳを走査駆動部１２１に供給し、データ駆動部制御信号ＤＣＳをデータ駆動部１２２に供給することができる。
【０１１６】
また、タイミング制御部１２５は映像補正部１５０から第２映像データＤｉ２及び第３映像データＤｉ３の入力を受けることができる。この際、タイミング制御部１２５はデータ駆動部１２２の仕様に合わせて第２映像データＤｉ２及び第３映像データＤｉ３を変換してデータ駆動部１２２に供給することができる。
【０１１７】
映像補正部１５０は、図６に示されたように、タイミング制御部１２５と別個で分離して位置することができる。ただし、他の実施例においては、映像補正部１５０がタイミング制御部１２５に統合されることができる。
【０１１８】
また、他の実施例においては、タイミング制御部１２５がホスト１００から第１映像データＤｉ１の供給を受けて、前記第１映像データＤｉ１を映像補正部１５０に伝達することができる。この場合、映像補正部１５０は、ホスト１００から第１映像データＤｉ１の伝達を受ける必要がなくなる。
【０１１９】
図７は、本発明の実施例による映像補正部を示した図面、図８は、本発明の実施例による第１ルックアップテーブルを示した図面、図９は、本発明の実施例による第２ルックアップテーブルを示した図面である。
【０１２０】
図７を参照すれば、本発明の実施例による映像補正部１５０は、移動量決定部２１０、Ｘ軸シフト決定部２２０、Ｘ軸区域設定部２３０、Ｘ軸データ算出部２５０、Ｙ軸シフト決定部３２０、Ｙ軸区域設定部３３０及びＹ軸データ算出部３５０を含むことができる。
【０１２１】
また、本発明の実施例による映像補正部１５０は追加でフレームカウンター２７０、Ｘ軸位置算出部２８０及びＹ軸位置算出部３８０をさらに含むことができる。
【０１２２】
移動量決定部２１０は、Ｘ軸移動方向ＳＤｘ及びＸ軸移動量ＳＱｘを決定することができる。また、移動量決定部２１０は、Ｙ軸移動方向ＳＤｙ及びＹ軸移動量ＳＱｙとともに決定することができる。
【０１２３】
例えば、移動量決定部２１０は、フレームカウンター２７０から伝達されるフレーム情報Ｆｉを参照し、前記フレーム情報Ｆｉに対応するＸ／Ｙ軸移動方向ＳＤｘ、ＳＤｙ及びＸ／Ｙ軸移動量ＳＱｘ、ＳＱｙを決定することができる。このために、図８に示されたようなルックアップテーブルが使用されることができる。
【０１２４】
図８では、Ｘ軸移動方向ＳＤｘが陽の方向（右側）の場合を（＋）で表示しており、Ｘ軸移動方向ＳＤｘが陰の方向（左側）の場合を（−）で表示した。
【０１２５】
また、Ｙ軸移動方向ＳＤｙが陽の方向（上側）の場合を（＋）で表示しており、Ｙ軸移動方向ＳＤｙが陰の方向（下側）の場合を（−）で表示した。ただし、これは一実施例に過ぎず、移動方向ＳＤｘ、ＳＤｙに対する表現方式は、多様に変更されることができる。
【０１２６】
移動量決定部２１０は、既に保存された第１ルックアップテーブルＬＵＴ１を参照し、フレーム情報Ｆｉに対応するＸ／Ｙ軸移動方向ＳＤｘ、ＳＤｙ及びＸ／Ｙ軸移動量ＳＱｘ、ＳＱｙを算出することができる。
【０１２７】
例えば、現在供給される第１映像データＤｉ１が第２０フレームにあたる場合、フレームカウンター２７０はフレーム情報Ｆｉを「２０」に設定することができる。これによって、移動量決定部２１０は、図８に示された第１ルックアップテーブルＬＵＴ１に応じて、Ｘ軸移動方向ＳＤｘ及びＸ軸移動量ＳＱｘをそれぞれ「左側（−）」と「１」に設定し、Ｙ軸移動方向ＳＤｙ及びＹ軸移動量ＳＱｙをそれぞれ「右側（＋）」と「１」に設定することができる。
【０１２８】
フレームカウンター２７０は、現在のフレーム情報Ｆｉを算出することができる。この際、フレームカウンター２７０はホスト１００から供給される制御信号（例えば、垂直同期信号）を利用することで、現在供給される第１映像データＤｉ１が何番目のフレームに当たるかを算出することができる。
【０１２９】
フレームカウンター２７０は、フレーム情報Ｆｉを移動量決定部２１０に供給することができる。また、フレームカウンター２７０は、フレーム情報ＦｉをＸ軸シフト決定部２２０及びＹ軸シフト決定部３２０に供給することもできる。
【０１３０】
Ｘ軸シフト決定部２２０は、Ｘ軸ブラックデータ量ＷＢｘを決定することができる。例えば、Ｘ軸シフト決定部２２０はフレームカウンター２７０から伝達されるフレーム情報Ｆｉを参照し、前記フレーム情報Ｆｉに対応するＸ軸ブラックデータ量ＷＢｘを決定することができる。
【０１３１】
このために、図９に示されたルックアップテーブルＬＵＴ２が使用されることができる。すなわち、Ｘ軸シフト決定部２２０は既に保存された第２ルックアップテーブルＬＵＴ２を参照して、フレーム情報Ｆｉに対応するＸ軸ブラックデータ量ＷＢｘを決定することができる。
【０１３２】
例えば、現在供給される第１映像データＤｉ１が第２０フレームにあたる場合、フレームカウンター２７０はフレーム情報Ｆｉを「２０」に設定することができる。これによって、Ｘ軸シフト決定部２２０は、図９に示された第２ルックアップテーブルＬＵＴ２に応じてＸ軸ブラックデータ量ＷＢｘを「２」に設定することができる。
【０１３３】
Ｙ軸シフト決定部３２０は、Ｙ軸ブラックデータ量ＷＢｙを決定することができる。例えば、Ｙ軸シフト決定部３２０はフレームカウンター２７０から伝達されるフレーム情報Ｆｉを参照して、前記フレーム情報Ｆｉに対応するＹ軸ブラックデータ量ＷＢｙを決定することができる。
【０１３４】
例えば、Ｙ軸シフト決定部３２０は、Ｘ軸シフト決定部２２０のように既に保存されたルックアップテーブルを参照して、フレーム情報Ｆｉに対応するＹ軸ブラックデータ量ＷＢｙを決定することができる。
【０１３５】
Ｙ軸シフト決定部３２０によって使用されるルックアップテーブルの形態は、上述した第２ルックアップテーブルＬＵＴ２と同一でありえる。
【０１３６】
図１０は、本発明の実施例によるＸ軸区域設定部の動作について説明するための図面である。
【０１３７】
Ｘ軸区域設定部２３０は、第１映像データＤｉ１に適用される第１Ｘ軸区域ＸＡ１及び第２映像データＤｉ２に適用される第２Ｘ軸区域ＸＡ２を設定することができる。
【０１３８】
また、Ｘ軸区域設定部２３０は、設定されたＸ軸区域情報ＡｘをＸ軸データ算出部２５０に伝達することができる。
【０１３９】
このために、Ｘ軸区域設定部２３０は、移動量決定部２１０によって決定されたＸ軸移動量ＳＱｘ、Ｘ軸シフト決定部２２０によって決定されたＸ軸ブラックデータ量ＷＢｘ、既に設定されたＸ軸映像スケーリング比ＳＣｘ及びＸ軸内部スケーリング比ＳＲｘを利用することができる。
【０１４０】
例えば、Ｘ軸区域設定部２３０は、Ｘ軸移動量ＳＱｘ、Ｘ軸ブラックデータ量ＷＢｘ、Ｘ軸映像スケーリング比ＳＣｘ、及びＸ軸内部スケーリング比ＳＲｘを利用して第１Ｘ軸区域ＸＡ１を定義することができる。
【０１４１】
また、Ｘ軸区域設定部２３０は、Ｘ軸移動量ＳＱｘ及びＸ軸内部スケーリング比ＳＲｘを利用して第２Ｘ軸区域ＸＡ２を定義することができる。
【０１４２】
図１０を参考すれば、第１Ｘ軸区域ＸＡ１及び第２Ｘ軸区域ＸＡ２は、それぞれ相互対応する複数のサブ区域を含むことができる。
【０１４３】
例えば、第１Ｘ軸区域ＸＡ１は第１サブ区域ＳＡｘ１、第２サブ区域ＳＡｘ２、及び第３サブ区域ＳＡｘ３を含むことができる。この際、第２サブ区域ＳＡｘ２は、第１サブ区域ＳＡｘ１と第３サブ区域ＳＡｘ３との間に位置することができる。
【０１４４】
また、第２Ｘ軸区域ＸＡ２は、第１サブ区域ＳＢｘ１、第２サブ区域ＳＢｘ２、及び第３サブ区域ＳＢｘ３を含むことができる。この際、第２サブ区域ＳＢｘ２は、第１サブ区域ＳＢｘ１と第３サブ区域ＳＢｘ３との間に位置することができる。
【０１４５】
第１Ｘ軸区域ＸＡ１の第１サブ区域ＳＡｘ１、第２サブ区域ＳＡｘ２、及び第３サブ区域ＳＡｘ３は、第２Ｘ軸区域ＸＡ２の第１サブ区域ＳＢｘ１、第２サブ区域ＳＢｘ２、及び第３サブ区域ＳＢｘ３にそれぞれ対応することができる。
【０１４６】
例えば、第１Ｘ軸区域ＸＡ１に含まれたサブ区域ＳＡｘ１、ＳＡｘ２、ＳＡｘ３の立ち上がり点及び立ち下がり点ａ１、ｂ１、ｃ１、ｄ１は、下記式によって決定されることができる。ただし、下記式は、一実施例に過ぎず、多様に変形されることができる。この際、各サブ区域ＳＡｘ１、ＳＡｘ２、ＳＡｘ３の立ち上がり点及び立ち下がり点ａ１、ｂ１、ｃ１、ｄ１は、Ｘ軸座標に定義されることができる。
【０１４７】
ａ１＝０−ＷＢｘ
ｂ１＝ＳＱｘ×ＳＲｘ×ＳＣｘ−ＷＢｘ
ｃ１＝ＷＩｘ×ＳＣｘ−ＳＱｘ×ＳＲｘ×ＳＣｘ−ＷＢｘ
ｄ１=ＷＩｘ×ＳＣｘ−ＷＢｘ
【０１４８】
上記式において、ａ１は第１サブ区域ＳＡｘ１の立ち上がり点で、ｂ１は第１サブ区域ＳＡｘ１の立ち下がり点であると同時に第２サブ区域ＳＡｘ２の立ち上がり点であり、ｃ１は第２サブ区域ＳＡｘ２の立ち下がり点であると同時に第３サブ区域ＳＡｘ３の立ち上がり点であり、ｄ１は第３サブ区域ＳＡｘ３の立ち下がり点である。
【０１４９】
また、ＳＱｘはＸ軸移動量で、ＳＲｘはＸ軸内部スケーリング比であり、ＷＢｘはＸ軸ブラックデータ量で、ＳＣｘはＸ軸映像スケーリング比である。そして、ＷＩｘは定数である。この際、定数ＷＩｘは既に設定された値である場合があり、表示装置１０のＸ軸解像度を考慮して決定されることができる。
【０１５０】
例えば、表示装置１０に含まれたＸ軸方向のピクセル数が「４０９６」の場合、第１映像データＤｉ１のＸ軸方向のピクセルデータ数は「４０９６」で、定数ＷＩｘは「４０９６」に設定されることができる。
【０１５１】
第２Ｘ軸区域ＸＡ２に含まれたサブ区域ＳＢｘ１、ＳＢｘ２、ＳＢｘ３の立ち上がり点及び立ち下がり点ａ２、ｂ２、ｃ２、ｄ２は、下記式によって決定されることができる。ただし、下記式は一実施例に過ぎず、多様に変形されることができる。この際、各サブ区域ＳＢｘ１、ＳＢｘ２、ＳＢｘ３の立ち上がり点及び立ち下がり点ａ２、ｂ２、ｃ２、ｄ２は、Ｘ軸座標に定義されることができる。
【０１５２】
ａ２＝０
ｂ２＝ＳＱｘ×（ＳＲｘ−Ｃｏ１）
ｃ２＝ＷＩｘ−ＳＱｘ×（ＳＲｘ＋Ｃｏ２）
ｄ２＝ＷＩｘ
上記式において、Ｃｏ１、Ｃｏ２は定数であり、同一の値に設定されることができる。
【０１５３】
また、上記式はＸ軸移動方向ＳＤｘが陰の方向（左側）の場合に適用されることができ、Ｘ軸移動方向ＳＤｘが陽の方向（上側）の場合には、上記式が下記のように変形されることができる。
【０１５４】
ａ２＝０
ｂ２＝ＳＱｘ×（ＳＲｘ＋Ｃｏ１）
ｃ２＝ＷＩｘ−ＳＱｘ×（ＳＲｘ-Ｃｏ２）
ｄ２＝ＷＩｘ
【０１５５】
図１１は、本発明の実施例によるＸ軸データ算出部の動作について説明するための図面で、図１２は、図１１の一部を拡大して示した図面である。また、図１３は、本発明の実施例による第１映像データを示した図面で、図１４は、本発明の実施例による第２映像データを示した図面である。
【０１５６】
特に、図１１では説明の便宜のために、実際よりも単純な例を示しており、第１映像データＤｉ１に含まれた一行のピクセルデータＰｄ１及び第２映像データＤｉ２に含まれた一行のピクセルデータＰｄ２を示した。
【０１５７】
Ｘ軸データ算出部２５０は、第１Ｘ軸区域ＸＡ１の各サブ区域ＳＡｘ１、ＳＡｘ２、ＳＡｘ３に位置した第１映像データＤｉ１のピクセルデータＰｄ１を利用して、第２Ｘ軸区域ＸＡ２の各サブ区域ＳＢｘ１、ＳＢｘ２、ＳＢｘ３に位置した第２映像データＤｉ２のピクセルデータＰｄ２を算出することができる。
【０１５８】
このために、Ｘ軸データ算出部２５０は、第１映像データＤｉ１に第１Ｘ軸区域ＸＡ１を適用し、第２映像データＤｉ２に第２Ｘ軸区域ＸＡ２を適用することができる。
【０１５９】
第１Ｘ軸区域ＸＡ１及び第２Ｘ軸区域ＸＡ２を第１映像データＤｉ１及び第２映像データＤｉ２にそれぞれ適用した様子は、図１１のように表現されることができる。
【０１６０】
特に、第１Ｘ軸区域ＸＡ１を第１映像データＤｉ１に適用するためには、第１映像データＤｉ１に含まれたピクセルデータＰｄ１の位置を把握しなければならない。
【０１６１】
このために、Ｘ軸位置算出部２８０は、第１映像データＤｉ１に含まれたピクセルデータＰｄ１の位置を把握し、それについての位置情報ＬｘをＸ軸データ算出部２５０に伝達することができる。したがって、Ｘ軸データ算出部２５０は、Ｘ軸位置算出部２８０から伝達された位置情報Ｌｘを利用して、第１映像データＤｉ１に含まれたピクセルデータＰｄ１に対して座標を付与することができる。
【０１６２】
例えば、一行のピクセルデータＰｄ１のうち左側基準にして一番目に位置したピクセルデータＰｄ１を０と１との間に位置させることができ、左側基準にして二番目に位置したピクセルデータＰｄ１を１と２との間に位置させることができる。
【０１６３】
第１Ｘ軸区域ＸＡ１は、ピクセルデータＰＤ１が実際に占める領域よりも大きく設定されることができ、ピクセルデータＰｄ１が存在していない領域に対しては、仮想的にブラックピクセルデータＢｄが存在するものと仮定することができる。
【０１６４】
第１Ｘ軸区域ＸＡ１に含まれた各サブ区域ＳＡｘ１、ＳＡｘ２、ＳＡｘ３は、それぞれ複数の微細区域Ａｆｘを含むことができる。この際、各微細区域Ａｆｘの幅は、該微細区域Ａｆｘが含まれたサブ区域ＳＡｘ１、ＳＡｘ２、ＳＡｘ３の幅、及び前記サブ区域ＳＡｘ１、ＳＡｘ２、ＳＡｘ３に対応するサブ区域ＳＢｘ１、ＳＢｘ２、ＳＢｘ３の幅によって決定されることができる。
【０１６５】
例えば、第１サブ区域ＳＡｘ１に含まれた各微細区域Ａｆｘの幅は、第１サブ区域ＳＡｘ１の幅（例えば、ｂ１-ａ１）を第２Ｘ軸区域ＸＡ２に含まれた第１サブ区域ＳＢｘ１の幅（例えば、ｂ２-ａ２）で分けた値に設定されることができる。
【０１６６】
また、第２サブ区域ＳＡｘ２に含まれた各微細区域Ａｆｘの幅は、第２サブ区域ＳＡｘ２の幅（例えば、ｃ１-ｂ１）を第１Ｘ軸区域ＸＡ１に含まれた第２サブ区域ＳＢｘ２の幅（例えば、ｃ２-ｂ２）で分けた値に設定されることができる。
【０１６７】
第３サブ区域ＳＡｘ３に含まれた各微細区域Ａｆｘの幅は、第３サブ区域ＳＡｘ３の幅（例えば、ｄ１-ｃ１）を第１Ｘ軸区域ＸＡ１に含まれた第３サブ区域ＳＢｘ３の幅（例えば、ｄ２-ｃ２）で分けた値に設定されることができる。
【０１６８】
これによって、Ｘ軸データ算出部２５０は、微細区域Ａｆｘに含まれた少なくとも一つのピクセルデータＰｄ１を利用して、前記微細区域Ａｆｘに対応する第２映像データＤｉ２のピクセルデータＰｄ２を算出することができる。
【０１６９】
例えば、Ｘ軸データ算出部２５０は、微細区域Ａｆｘに含まれた少なくとも一つのピクセルデータＰｄ１が前記微細区域Ａｆｘに含まれた割合を参照し、前記微細区域Ａｆｘに対応する第２映像データＤｉ２のピクセルデータＰｄ２を算出することができる。
【０１７０】
図１２を参照してＸ軸データ算出部２５０の具体的な動作について説明する。例えば、第２映像データＤｉ２で三番目に位置したピクセルデータＰｄ２_３は、それに対応する微細区域Ａｆｘ３に位置した二つのピクセルデータＰｄ１_１、Ｐｄ１_２を利用して算出されることができる。この際、二つのピクセルデータＰｄ１_１、Ｐｄ１_２が前記微細区域Ａｆｘ３に含まれた割合は、Ｒ６：Ｒ７であるため、第２映像データＤｉ２のピクセルデータＰｄ２_３は、下記式のような数式により算出されることができる。
【０１７１】
ＶＰｄ２_３＝Ｒ６×ＶＰｄ１_１＋Ｒ７×ＶＰｄ１_２
【０１７２】
上記式において、ＶＰｄ２_３は、ピクセルデータＰｄ２_３の値で、ＶＰｄ１_１はピクセルデータＰｄ１_１の値であり、ＶＰｄ１_２はピクセルデータＰｄ１_２の値である。
【０１７３】
また、Ｒ６はピクセルデータＰｄ１_１が微細区域Ａｆｘ３で占める割合で、Ｒ７はピクセルデータＰｄ１_２が微細区域Ａｆｘ３で占める割合である。
【０１７４】
一方、第２映像データＤｉ２で二番目に位置したピクセルデータＰｄ２_２は、それに対応する微細区域Ａｆｘ２に位置した三つのピクセルデータＢｄ２、Ｂｄ３、Ｐｄ１_１を利用して算出されることができる。この際、三つのピクセルデータＢｄ２、Ｂｄ３、Ｐｄ１_１が、前記微細区域Ａｆｘ２に含まれた割合は、Ｒ３：Ｒ４：Ｒ５であるため、第２映像データＤｉ２のピクセルデータＰｄ２_２は、下記式のような数式により算出されることができる。
【０１７５】
ＶＰｄ２_２＝Ｒ３×ＶＢｄ２＋Ｒ４×ＶＢｄ３＋Ｒ５×ＶＰｄ１_１
【０１７６】
上記式において、ＶＰｄ２_２はピクセルデータＰｄ２_２の値で、ＶＢｄ２はブラックピクセルデータＢｄ２の値であり、ＶＢｄ３はブラックピクセルデータＢｄ３の値で、ＶＰｄ１_１はピクセルデータＰｄ１_１の値である。
【０１７７】
また、Ｒ３はブラックピクセルデータＢｄ２が微細区域Ａｆｘ２で占める割合で、Ｒ４はブラックピクセルデータＢｄ３が微細区域Ａｆｘ２で占める割合であり、Ｒ５はピクセルデータＰｄ１_１が微細区域Ａｆｘ２で占める割合である。この際、ブラックピクセルデータＢｄ２、Ｂｄ３の値は、「０」に設定されることができ、この場合、ピクセルデータＰｄ２_２の値ＶＰｄ２_２は、ピクセルデータＰｄ１_１の値ＶＰｄ１_１にＲ５を掛けた値に設定されることができる。
【０１７８】
また、第２映像データＤｉ２で一番目に位置したピクセルデータＰｄ２_１は、それに対応する微細区域Ａｆｘ１に位置した二つのピクセルデータＢＤ１、Ｂｄ２を利用して算出されることができる。この際、二つのピクセルデータＢＤ１、Ｂｄ２が前記微細区域Ａｆｘ１に含まれた割合は、Ｒ１：Ｒ２であるため、第２映像データＤｉ２のピクセルデータＰｄ２_１は、下記式のような数式により算出されることができる。
【０１７９】
ＶＰｄ２_１＝Ｒ１×ＶＢｄ１＋Ｒ２×ＶＢｄ２
【０１８０】
上記式において、ＶＰｄ２_１は、ピクセルデータＰｄ２_１の値で、ＶＢＤ１はブラックピクセルデータＢｄ１の値であり、ＶＢｄ２はブラックピクセルデータＢｄ２の値である。
【０１８１】
また、Ｒ１はブラックピクセルデータＢｄ１が微細区域Ａｆｘ１で占める割合で、Ｒ２はブラックピクセルデータＢｄ２が微細区域Ａｆｘ１で占める割合である。この際、ブラックピクセルデータＢｄ２、Ｂｄ３の値は、「０」に設定されることができ、この場合、ピクセルデータＰｄ２_１の値ＶＰｄ２_１は、ブラックピクセルデータＢｄ２、Ｂｄ３と同様に、「０」に設定され、これによってピクセルデータＰｄ２_１は実質的にブラックを表示するブラックピクセルデータＢｄになり得る。
【０１８２】
Ｘ軸データ算出部２５０は、第１映像データＤｉ１に含まれた各行別ピクセルデータＰｄ１を対象にして上述した動作を遂行することで、図１３に示されたような第１映像データＤｉ１から図１４に示されたような第２映像データＤｉ２を生成することができる。この際、第２映像データＤｉ２は少なくとも一列のブラックピクセルデータＢｄを端領域に含むことができる。
【０１８３】
一例として、図１４に示されたように、第２映像データＤｉ２は最も左側に位置する一列のブラックピクセルデータＢｄを含み、最も右側に位置する四列のブラックピクセルデータＢｄを含むことができる。
【０１８４】
Ｘ軸データ算出部２５０は、生成された第２映像データＤｉ２を出力することができる。すなわち、Ｙ軸補正が不要である場合にはＹ軸データ算出部３５０が動作する必要がないため、表示駆動部１２０は第２映像データＤｉ２を利用して該映像を表示することができる。
【０１８５】
Ｘ軸データ算出部２５０から出力された第２映像データＤｉ２を第３映像データＤｉ３で変換する動作は、図１５ないし図１８を参照して説明する。
【０１８６】
図１５は、本発明の実施例によるＹ軸区域設定部の動作について説明するための図面である。
【０１８７】
Ｙ軸区域設定部３３０は、第２映像データＤｉ２に適用される第１Ｙ軸区域ＹＡ１、及び第３映像データＤｉ３に適用される第２Ｙ軸区域ＹＡ２を設定することができる。
【０１８８】
また、Ｙ軸区域設定部３３０は、設定されたＹ軸区域情報ＡｙをＹ軸データ算出部３５０に伝達することができる。このために、Ｙ軸区域設定部３３０は移動量決定部２１０によって決定されたＹ軸移動量ＳＱｙ、Ｙ軸シフト決定部３２０によって決定されたＹ軸ブラックデータ量ＷＢｙ、既に設定されたＹ軸映像スケーリング比ＳＣｙ及びＹ軸内部スケーリング比ＳＲｙを利用することができる。
【０１８９】
例えば、Ｙ軸区域設定部３３０はＹ軸移動量ＳＱｙ、Ｙ軸ブラックデータ量ＷＢｙ、Ｙ軸映像スケーリング比ＳＣｙ、及びＹ軸内部スケーリング比ＳＲｙを利用して第１Ｙ軸区域ＹＡ１を定義することができる。
【０１９０】
また、Ｙ軸区域設定部３３０は、Ｙ軸移動量ＳＱｙ及びＹ軸内部スケーリング比ＳＲｙを利用して第２Ｙ軸区域ＹＡ２を定義することができる。
【０１９１】
図１５を参照すれば、第１Ｙ軸区域ＹＡ１及び第２Ｙ軸区域ＹＡ２は、それぞれ相互対応する複数のサブ区域を含むことができる。
【０１９２】
例えば、第１Ｙ軸区域ＹＡ１は第１サブ区域ＳＡｙ１、第２サブ区域ＳＡｙ２、及び第３サブ区域ＳＡｙ３を含むことができる。この際、第２サブ区域ＳＡｙ２は、第１サブ区域ＳＡｙ１と第３サブ区域ＳＡｙ３との間に位置することができる。
【０１９３】
また、第２Ｙ軸区域ＹＡ２は第１サブ区域ＳＢｙ１、第２サブ区域ＳＢｙ２、及び第３サブ区域ＳＢｙ３を含むことができる。この際、第２サブ区域ＳＢｙ２は、第１サブ区域ＳＢｙ１と第３サブ区域ＳＢｙ３との間に位置することができる。
【０１９４】
第１Ｙ軸区域ＹＡ１の第１サブ区域ＳＡｙ１、第２サブ区域ＳＡｙ２、及び第３サブ区域ＳＡｙ３は、第２Ｙ軸区域ＹＡ２の第１サブ区域ＳＢｙ１、第２サブ区域ＳＢｙ２、及び第３サブ区域ＳＢｙ３にそれぞれ対応することができる。
【０１９５】
例えば、第１Ｙ軸区域ＹＡ１に含まれたサブ区域ＳＡｙ１、ＳＡｙ２、ＳＡｙ３の立ち上がり点及び立ち下がり点ａ３、ｂ３、ｃ３、ｄ３は、下記式によって決定されることができる。ただし、下記式は一実施例に過ぎず、多様に変形されることができる。この際、各サブ区域ＳＡｙ１、ＳＡｙ２、ＳＡｙ３の立ち上がり点及び立ち下がり点ａ３、ｂ３、ｃ３、ｄ３は、Ｙ軸座標に定義されることができる。
【０１９６】
ａ３＝０−ＷＢｙ
ｂ３＝ＳＱｙ×ＳＲｙ×ＳＣｙ−ＷＢｙ
ｃ３＝ＷＩｙ×ＳＣｙ−ＳＱｙ×ＳＲｙ×ＳＣｙ−ＷＢｙ
ｄ３＝ＷＩｙ×ＳＣｙ-ＷＢｙ
【０１９７】
上記式において、Ａ３は第１サブ区域ＳＡｙ１の立ち上がり点で、ｂ３は第１サブ区域ＳＡｙ１の立ち下がり点であると同時に第２サブ区域ＳＡｙ２の立ち上がり点であり、ｃ３は第２サブ区域ＳＡｙ２の立ち下がり点であると同時に第３サブ区域ＳＡｙ３の立ち上がり点であり、ｄ３は第３サブ区域ＳＡｙ３の立ち下がり点である。
【０１９８】
また、ＳＱｙはＹ軸移動量で、ＳＲｙはＹ軸内部スケーリング比であり、ＷＢｙはＹ軸ブラックデータ量で、ＳＣｙはＹ軸映像スケーリング比である。そして、ＷＩｙは定数である。この際、定数ＷＩｙは既に設定された値でありえるし、表示装置１０のＹ軸解像度を考慮して決定されることができる。
【０１９９】
例えば、表示装置１０に含まれたＹ軸方向のピクセル数が「２５６０」の場合、第２映像データＤｉ２のＹ軸方向のピクセルデータ数は「２５６０」で、定数ＷＩｙは「２５６０」に設定されることができる。
【０２００】
第２Ｙ軸区域ＹＡ２に含まれたサブ区域ＳＢｙ１、ＳＢｙ２、ＳＢｙ３の立ち上がり点及び立ち下がり点ａ４、ｂ４、ｃ４、ｄ４は、下記式によって決定されることができる。ただし、下記式は一実施例に過ぎず、多様に変形されることができる。この際、各サブ区域ＳＢｙ１、ＳＢｙ２、ＳＢｙ３の立ち上がり点及び立ち下がり点ａ４、ｂ４、ｃ４、ｄ４は、Ｙ軸座標に定義されることができる。
【０２０１】
ａ４＝０
ｂ４＝ＳＱｙ×（ＳＲｙ−Ｃｏ１）
ｃ４＝ＷＩｙ−ＳＱｙ×（ＳＲｙ＋Ｃｏ２）
ｄ４＝ＷＩｙ
【０２０２】
上記式において、Ｃｏ１、Ｃｏ２は定数であり、同一値に設定されることができる。
【０２０３】
また、上記式は、Ｙ軸移動方向ＳＤｙが陰の方向（下側）の場合に適用されることができ、Ｙ軸移動方向ＳＤｙが陽の方向（上側）の場合には、上述した数式が下記のように変形されることができる。
【０２０４】
ａ４＝０
ｂ４＝ＳＱｙ×（ＳＲｙ＋Ｃｏ１）
ｃ４＝ＷＩｙ-ＳＱｙ×（ＳＲｙ−Ｃｏ２）
ｄ４＝ＷＩｙ
【０２０５】
図１６は、本発明の実施例によるＹ軸データ算出部の動作について説明するための図面で、図１７は、図１６の一部を拡大して示した図面である。また、図１８は、本発明の実施例による第３映像データを示した図面である。
【０２０６】
特に、図１６では説明の便宜のために、実際よりも単純な例を示しており、第２映像データＤｉ２に含まれた一列のピクセルデータＰｄ２、及び第３映像データＤｉ３に含まれた一列のピクセルデータＰｄ３を示した。
【０２０７】
Ｙ軸データ算出部３５０は、第１Ｙ軸区域ＹＡ１の各サブ区域ＳＡｙ１、ＳＡｙ２、ＳＡｙ３に位置した第２映像データＤｉ２のピクセルデータＰｄ２を利用して第２Ｙ軸区域ＹＡ２の各サブ区域ＳＢｙ１、ＳＢｙ２、ＳＢｙ３に位置した第３映像データＤｉ３のピクセルデータＰｄ３を算出することができる。このために、Ｙ軸データ算出部３５０は、第２映像データＤｉ２に第１Ｙ軸区域ＹＡ１を適用し、第３映像データＤｉ３に第２Ｙ軸区域ＹＡ２を適用することができる。
【０２０８】
第１Ｙ軸区域ＹＡ１及び第２Ｙ軸区域ＹＡ２を第２映像データＤｉ２及び第３映像データＤｉ３にそれぞれ適用した様子は、図１６のように表現されることができる。
【０２０９】
特に、第１Ｙ軸区域ＹＡ１を第２映像データＤｉ２に適用するためには、第２映像データＤｉ２に含まれたピクセルデータＰｄ２の位置を把握しなければならない。このために、Ｙ軸位置算出部３８０は、第２映像データＤｉ２に含まれたピクセルデータＰｄ２の位置を把握し、それについての位置情報ＬｙをＹ軸データ算出部３５０に伝達することができる。
【０２１０】
したがって、Ｙ軸データ算出部３５０は、Ｙ軸位置算出部３８０から伝達された位置情報Ｌｙを利用して第２映像データＤｉ２に含まれたピクセルデータＰｄ２に対して座標を付与することができる。
【０２１１】
例えば、一列のピクセルデータＰｄ２のうち下側基準にして一番目に位置したピクセルデータＰｄ２を０と１との間に位置させることができ、下側基準にして二番目に位置したピクセルデータＰｄ２を１と２との間に位置させることができる。
【０２１２】
第１Ｙ軸区域ＹＡ１は、ピクセルデータＰｄ２が実際に占める領域よりも大きく設定されることができ、ピクセルデータＰｄ２が存在していない領域に対しては、仮想的にブラックピクセルデータＢｄが存在するものと仮定することができる。
【０２１３】
第１Ｙ軸区域ＹＡ１に含まれた各サブ区域ＳＡｙ１、ＳＡｙ２、ＳＡｙ３は、それぞれ複数の微細区域Ａｆｙを含むことができる。この際、各微細区域Ａｆｙの幅は、該微細区域Ａｆｙが含まれたサブ区域ＳＡｙ１、ＳＡｙ２、ＳＡｙ３の幅、及び前記サブ区域ＳＡｙ１、ＳＡｙ２、ＳＡｙ３に対応するサブ区域ＳＢｙ１、ＳＢｙ２、ＳＢｙ３の幅によって決定されることができる。
【０２１４】
例えば、第１サブ区域ＳＡｙ１に含まれた各微細区域Ａｆｙの幅は、第１サブ区域ＳＡｙ１の幅（例えば、ｂ３-ａ３）を第２Ｙ軸区域ＹＡ２に含まれた第１サブ区域ＳＢｙ１の幅（例えば、ｂ４-ａ４）で分けた値に設定されることができる。
【０２１５】
また、第２サブ区域ＳＡｙ２に含まれた各微細区域Ａｆｙの幅は、第２サブ区域ＳＡｙ２の幅（例えば、ｃ３-ｂ３）を第２Ｙ軸区域ＹＡ２に含まれた第２サブ区域ＳＢｙ２の幅（例えば、ｃ４-ｂ４）で分けた値に設定されることができる。
【０２１６】
第３サブ区域ＳＡｙ３に含まれた各微細区域Ａｆｙの幅は、第３サブ区域ＳＡｙ３の幅（例えば、ｄ３-ｃ３）を第２Ｙ軸区域ＹＡ２に含まれた第３サブ区域ＳＢｙ３の幅（例えば、ｄ４-ｃ４）で分けた値に設定されることができる。
【０２１７】
これによって、Ｙ軸データ算出部３５０は、微細区域Ａｆｙに含まれた少なくとも一つのピクセルデータＰｄ２を利用して前記微細区域Ａｆｙに対応する第３映像データＤｉ３のピクセルデータＰｄ３を算出することができる。
【０２１８】
例えば、Ｙ軸データ算出部３５０は、微細区域Ａｆｙに含まれた少なくとも一つのピクセルデータＰｄ２が前記微細区域Ａｆｙに含まれた割合を参照し、前記微細区域Ａｆｙに対応する第３映像データＤｉ３のピクセルデータＰｄ３を算出することができる。
【０２１９】
図１７を参照してＹ軸データ算出部３５０の具体的な動作について説明する。
【０２２０】
例えば、第３映像データＤｉ３で一番目に位置したピクセルデータＰｄ３_１は、それに対応する微細区域Ａｆｙ１に位置した二つのピクセルデータＢＤ１、Ｂｄ２を利用して算出されることができる。この際、二つのピクセルデータＢＤ１、Ｂｄ２が前記微細区域Ａｆｙ１に含まれた割合は、Ｒ１：Ｒ２であるため、第３映像データＤｉ３のピクセルデータＰｄ３_１は、下記のような数式により算出されることができる。
【０２２１】
ＶＰｄ３_１＝Ｒ１×ＶＢｄ１＋Ｒ２×ＶＢｄ２
【０２２２】
上記式において、ＶＰｄ３_１は、ピクセルデータＰｄ３_１の値で、ＶＢｄ１はブラックピクセルデータＢＤ１の値であり、ＶＢｄ２はブラックピクセルデータＢｄ２の値である。
【０２２３】
また、Ｒ１はブラックピクセルデータＢｄ１が微細区域Ａｆｙ１で占める割合で、Ｒ２はブラックピクセルデータＢｄ２が微細区域Ａｆｙ１で占める割合である。この際、ブラックピクセルデータＢＤ１、Ｂｄ２の値は、「０」に設定されることができ、この場合、ピクセルデータＰｄ３_１の値ＶＰｄ３_１は、ブラックピクセルデータＢｄ１、Ｂｄ２と同様に「０」に設定され、これによってピクセルデータＰｄ３_１は実質的にブラックを表示するブラックピクセルデータＢｄになり得る。
【０２２４】
一方、第３映像データＤｉ３で二番目に位置したピクセルデータＰｄ３_２は、それに対応する微細区域Ａｆｙ２に位置した二つのピクセルデータＢｄ２、Ｐｄ２を利用して算出されることができる。この際、二つのピクセルデータＢｄ２、Ｐｄ２が前記微細区域Ａｆｙ２に含まれた割合は、Ｒ３：Ｒ４であるため、第３映像データＤｉ３のピクセルデータＰｄ３_２は下記のような数式により算出されることができる。
【０２２５】
ＶＰｄ３_２＝Ｒ３×ＶＢｄ２＋Ｒ４×ＶＰｄ２
【０２２６】
上記式において、ＶＰｄ３_２はピクセルデータＰｄ３_２の値で、ＶＢｄ２はブラックピクセルデータＢｄ２の値であり、ＶＰｄ２はピクセルデータＰｄ２の値である。
【０２２７】
また、Ｒ３はブラックピクセルデータＢｄ２が微細区域Ａｆｙ２で占める割合で、Ｒ４はピクセルデータＰｄ２が微細区域Ａｆｙ２で占める割合である。この際、ブラックピクセルデータＢｄ２の値は、「０」に設定されることができ、この場合、ピクセルデータＰｄ３_２の値ＶＰｄ３_２は、ピクセルデータＰｄ２の値ＶＰｄ２にＲ４を掛けた値に設定されることができる。
【０２２８】
Ｙ軸データ算出部３５０は、第２映像データＤｉ２に含まれた各列別ピクセルデータＰｄ２を対象にして上述した動作を遂行することで、図１８に示されたような第３映像データＤｉ３を生成することができる。この際、第３映像データＤｉ３は、少なくとも一行のブラックピクセルデータＢｄを端領域に含むことができる。
【０２２９】
一例として、図１８に示されたように、第３映像データＤｉ３は、最も上側に位置する一行のブラックピクセルデータＢｄを含み、最も下側に位置する一列のブラックピクセルデータＢｄを含むことができる。
【０２３０】
Ｙ軸データ算出部３５０は、生成された第３映像データＤｉ３を出力することができる。これにより、表示駆動部１２０は、第３映像データＤｉ３を利用して該映像を表示することができる。
【０２３１】
以上、本発明の実施例について説明してきたが、本発明はこれに限定されずに種々の変更、改良を行うことができる。
【符号の説明】
【０２３２】
１００    ホスト
１１０    表示パネル
１２０    表示駆動部
１２１    走査駆動部
１２２    データ駆動部
１２５    タイミング制御部
１５０    映像補正部
２１０    移動量決定部
２２０    Ｘ軸シフト決定部
２３０    Ｘ軸区域設定部
２５０    Ｘ軸データ算出部
２７０    フレームカウンター
２８０    Ｘ軸位置算出部
３２０    Ｙ軸シフト決定部
３３０    Ｙ軸区域設定部
３５０    Ｙ軸データ算出部
３８０    Ｙ軸位置算出部
【図１】
2016212377.tif 000003
【図２Ａ】
2016212377.tif 000004
【図２Ｂ】
2016212377.tif 000005
【図３Ａ】
2016212377.tif 000006
【図３Ｂ】
2016212377.tif 000007
【図４Ａ】
2016212377.tif 000008
【図４Ｂ】
2016212377.tif 000009
【図５】
2016212377.tif 000010
【図６】
2016212377.tif 000011
【図７】
2016212377.tif 000012
【図８】
2016212377.tif 000013
【図９】
2016212377.tif 000014
【図１０】
2016212377.tif 000015
【図１１】
2016212377.tif 000016
【図１２】
2016212377.tif 000017
【図１３】
2016212377.tif 000018
【図１４】
2016212377.tif 000019
【図１５】
2016212377.tif 000020
【図１６】
2016212377.tif 000021
【図１７】
2016212377.tif 000022
【図１８】
2016212377.tif 000023